【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットである、
前記ＥＰＤＣＣＨを受信することと、
前記構成の第２のセットからの少なくとも１つの構成に基づいて前記ＥＰＤＣＣＨを処理することと
を備える、方法。
【請求項２】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項１に記載の方法。
【請求項３】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項２に記載の方法。
【請求項４】
前記構成の第２のセットは、無線リソース制御（ＲＲＣ）構成に基づいて前記構成の第１のセットから選択される、請求項１に記載の方法。
【請求項５】
前記ＰＤＳＣＨは、多地点協調システムにおいて実装される、請求項１に記載の方法。
【請求項６】
ワイヤレス通信の方法であって、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信することと、
前記ＥＰＤＣＣＨを送信することと
を備える、方法。
【請求項７】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項６に記載の方法。
【請求項８】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項７に記載の方法。
【請求項９】
前記構成の第２のセットは、無線リソース制御（ＲＲＣ）構成に基づいて前記構成の第１から選択される、請求項６に記載の方法。
【請求項１０】
前記ＰＤＳＣＨは、多地点協調システムにおいて実装される、請求項６に記載の方法。
【請求項１１】
請求項１〜請求項１０のいずれか一項に記載の方法を実行するための命令を備えたコンピュータプログラム製品。
【請求項１２】
ワイヤレス通信の装置であって、
物理ダウンリンク共有チャネル（ＰＤＳＣＨ）のための構成の第１のセットを受信するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信するための手段と、ここにおいて、前記構成の第２のセットは、前記構成の第１のセットの中からのサブセットである、
前記ＥＰＤＣＣＨを受信するための手段と、
前記構成の第２のセットからの少なくとも１つの構成に基づいて前記ＥＰＤＣＣＨを処理するための手段と
を備える、装置。
【請求項１３】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項１２に記載の装置。
【請求項１４】
ワイヤレス通信のための装置であって、
物理ダウンリンク共有チャネル（ＰＤＳＣＨ）のための構成の第１のセットを構成するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成するための手段と、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信するための手段と、
前記ＥＰＤＣＣＨを送信するための手段と
を備える、装置。
【請求項１５】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項１４に記載の装置。
【手続補正２】
【補正対象書類名】明細書
【補正対象項目名】０１２１
【補正方法】変更
【補正の内容】
【０１２１】
[00137]以上の説明は、当業者が本明細書に記載された様々な態様を実施することが可能なように提供するものである。これらの態様に対する様々な変更は、当業者には容易に明らかであり、本明細書において定義される包括的な原理は、他の態様に適用されうる。したがって、特許請求の範囲は、本明細書に示される態様に限定されることを意図したものではなく、特許請求の範囲における用語と矛盾しない全範囲を付与されるべきであり、単数形での要素への言及は、特に指定のない限り、「１つであって、１つだけ」を意味することを意図したものではなく、むしろ「１つまたは複数」を意味することが意図されている。特に指定のない限り、「何らかの／いくつかの」という用語は、１つまたは複数を指す。当業者に周知の、または後に周知となる、本開示を通して記述される様々な態様の要素と構造的および機能的に同等な物はすべて、参照によって本明細書に明確に組み込まれ、特許請求の範囲に包含されることが意図されている。さらに、本明細書におけるどの開示も、そのような開示が特許請求の範囲において明示的に列挙されているかどうかに関わらず、公に献呈されることを意図するものではない。要素が「〜のための手段」という表現を使用して明確に列挙されない限り、どの特許請求の範囲の要素もミーンズプラスファンクションとして解釈されるべきではない。
以下に、出願当初の特許請求の範囲に記載された発明を付記する。
［Ｃ１］
ワイヤレス通信の方法であって、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットである、
前記ＥＰＤＣＣＨを受信することと、
前記構成の第２のセットからの少なくとも１つの構成に基づいて前記ＥＰＤＣＣＨを処理することと
を備える、方法。
［Ｃ２］
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、上記Ｃ１に記載の方法。
［Ｃ３］
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、上記Ｃ２に記載の方法。
［Ｃ４］
前記構成の第２のセットは、無線リソース制御（ＲＲＣ）構成に基づいて前記構成の第１のセットから選択される、上記Ｃ１に記載の方法。
［Ｃ５］
前記ＰＤＳＣＨは、多地点協調システムにおいて実装される、上記Ｃ１に記載の方法。
［Ｃ６］
ワイヤレス通信の方法であって、
制御チャネルのために構成された少なくとも第１のリソースセットおよび第２のリソースセットを決定することと、
前記第１のリソースセットおよび第２のリソースセットについてアグリゲーションレベルの共通のセットを決定することと、
前記第１のリソースセットについての第１のレートマッチングパラメータ、および前記第２のリソースセットについての第２のレートマッチングパラメータを決定することと、
少なくとも前記アグリゲーションレベルの共通のセットならびに前記第１のレートマッチングパラメータおよび第２のレートマッチングパラメータを使用して、前記制御チャネルを処理することと
を備える、方法。
［Ｃ７］
前記第１のリソースセットおよび前記第２のリソースセットについての前記アグリゲーションレベルの共通のセットを前記決定することは、
前記第１のリソースセットにおける利用可能なリソースの第１の数、
前記第２のリソースセットにおける利用可能なリソースの第２の数、
またはそれら両方を決定することを含む、上記Ｃ６に記載の方法。
［Ｃ８］
前記アグリゲーションレベルの共通のセットを前記決定することは、
利用可能なリソースの前記第１の数をしきい値と、利用可能なリソースの前記第２の数を前記しきい値と、またはそれら両方を比較することと、
前記比較に基づいて前記アグリゲーションレベルの共通のセットを選択することと
をさらに含む、上記Ｃ７に記載の方法。
［Ｃ９］
前記第１のレートマッチングパラメータは、前記第１のリソースセットにおけるすべてのチャネル状態情報基準信号（ＣＳＩ−ＲＳ）のまわりでレートマッチングを行うよう、または前記第１のリソースセットにおける前記ＣＳＩ−ＲＳのサブセットのまわりでレートマッチングを行うよう構成され、
前記第２のレートマッチングパラメータは、前記第２のリソースセットにおけるすべてのＣＳＩ−ＲＳのまわりでレートマッチングを行うよう、または前記第２のリソースセットにおける前記ＣＳＩ−ＲＳのサブセットのまわりでレートマッチングを行うよう構成される、上記Ｃ６に記載の方法。
［Ｃ１０］
前記第１のレートマッチングパラメータは、前記第１のリソースセットにおけるすべてのセル固有基準信号（ＣＲＳ）のまわりでレートマッチングを行うよう、または前記第１のリソースセットにおける前記ＣＲＳのサブセットのまわりでレートマッチングを行うよう構成され、
前記第２のレートマッチングパラメータは、前記第２のリソースセットにおけるすべてのＣＲＳのまわりでレートマッチングを行うよう、または前記第２のリソースセットにおける前記ＣＲＳのサブセットのまわりでレートマッチングを行うよう構成される、上記Ｃ６に記載の方法。
［Ｃ１１］
前記第１のレートマッチングパラメータは、第１の無線リソース制御（ＲＲＣ）構成に基づいて決定され、前記第２のレートマッチングパラメータは、第２のＲＲＣ構成に基づいて決定される、上記Ｃ６に記載の方法。
［Ｃ１２］
前記制御チャネルは、拡張物理ダウンリンク制御チャネル（ＥＰＤＣＣＨ）である、上記Ｃ６に記載の方法。
［Ｃ１３］
ワイヤレス通信の方法であって、
拡張物理ダウンリンク制御チャネル（ＥＰＤＣＣＨ）の開始シンボルがＥＰＤＣＣＨ構成に基づくサブフレームにおける初期シンボルであるかどうかを決定することと、
前記ＥＰＤＣＣＨの前記開始シンボルが前記サブフレームにおける前記初期シンボルであるときに前記サブフレームにおけるレガシ制御チャネルのサブセットを復号することを控えることと
を備える、方法。
［Ｃ１４］
前記控えることは、前記サブフレームがダウンリンクブロードキャスト送信を含まないときに前記サブフレームにおけるレガシ制御チャネルのサブセットを復号することを控えることを含む、上記Ｃ１３に記載の方法。
［Ｃ１５］
前記ＥＰＤＣＣＨ構成は、第１のＥＰＤＣＣＨリソースセットおよび第２のＥＰＤＣＣＨリソースセットを識別し、前記控えることは、前記第１のＥＰＤＣＣＨリソースセットの開始シンボルおよび前記第２のＥＰＤＣＣＨリソースセットの開始シンボルの両方が前記サブフレーム内に前記初期シンボルを含むときに、前記サブフレームにおいてレガシ制御チャネルのサブセットを復号することを控えることを含む、上記Ｃ１３に記載の方法。
［Ｃ１６］
前記レガシ制御チャネルは、
物理制御フォーマットインジケータチャネル（ＰＣＦＩＣＨ）、
物理ハイブリッドＡＲＱインジケータチャネル（ＰＨＩＣＨ）、
またはそれらの組み合わせのうちの少なくとも１つを含む、上記Ｃ１３に記載の方法。
［Ｃ１７］
ワイヤレス通信の方法であって、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信することと、
前記ＥＰＤＣＣＨを送信することと
を備える、方法。
［Ｃ１８］
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、上記Ｃ１７に記載の方法。
［Ｃ１９］
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、上記Ｃ１８に記載の方法。
［Ｃ２０］
前記構成の第２のセットは、無線リソース制御（ＲＲＣ）構成に基づいて前記構成の第１から選択される、上記Ｃ１７に記載の方法。
［Ｃ２１］
前記ＰＤＳＣＨは、多地点協調システムにおいて実装される、上記Ｃ１７に記載の方法。
［Ｃ２２］
ワイヤレス通信の方法であって、
制御チャネルのために少なくとも第１のリソースセットおよび第２のリソースセットを構成することと、ここにおいて、前記第１および第２のリソースセットは、共通の基準信号構成を用いて構成される、
前記第１のリソースセットについての第１のレートマッチングパラメータ、および前記第２のリソースセットについての第２のレートマッチングパラメータを構成することと、
前記第１のレートマッチングパラメータおよび前記第２のレートマッチングパラメータを送信することと、
前記第１のリソースセットおよび前記第２のリソースセットを使用して前記制御チャネルを送信することと
を備える、方法。
［Ｃ２３］
前記共通の基準信号構成は、少なくとも、共通のチャネル状態情報基準信号（ＣＳＩ−ＲＳ）構成または共通の基準信号（ＣＲＳ）構成を含む、上記Ｃ２２に記載の方法。
［Ｃ２４］
前記第１のレートマッチングパラメータは、制御チャネルリソース要素（ＲＥ）が前記第１のリソースセットにおけるすべてのチャネル状態情報基準信号（ＣＳＩ−ＲＳ）のまわりでレートマッチングされることを示し、または前記制御チャネルＲＥが前記第１のリソースセットにおける前記ＣＳＩ−ＲＳのサブセットのまわりでレートマッチングされることを示し、
前記第２のレートマッチングパラメータは、前記制御チャネルＲＥが前記第２のリソースセットにおけるすべてのＣＳＩ−ＲＳのまわりでレートマッチングされることを示し、または前記制御チャネルＲＥが前記第２のリソースセットにおける前記ＣＳＩ−ＲＳのサブセットのまわりでレートマッチングされることを示す、上記Ｃ２２に記載の方法。
［Ｃ２５］
前記第１のレートマッチングパラメータは、前記制御チャネルＲＥが前記第１のリソースセットにおけるすべてのセル固有基準信号（ＣＲＳ）のまわりでレートマッチングされることを示し、または前記制御チャネルＲＥが前記第１のリソースセットにおける前記ＣＲＳのサブセットのまわりでレートマッチングされることを示し、
前記第２のレートマッチングパラメータは、前記制御チャネルＲＥが前記第２のリソースセットにおけるすべてのＣＲＳのまわりでレートマッチングされることを示し、または前記制御チャネルＲＥが前記第２のリソースセットにおける前記ＣＲＳのサブセットのまわりでレートマッチングされることを示す、上記Ｃ２２に記載の方法。
［Ｃ２６］
前記第１のレートマッチングパラメータは、第１の無線リソース制御（ＲＲＣ）構成を介して構成され、前記第２のレートマッチングパラメータは、第２のＲＲＣ構成を介して構成される、上記Ｃ２２に記載の方法。
［Ｃ２７］
前記制御チャネルは、拡張物理ダウンリンク制御チャネル（ＥＰＤＣＣＨ）である、上記Ｃ２２に記載の方法。
［Ｃ２８］
ワイヤレス通信の装置であって、
物理ダウンリンク共有チャネル（ＰＤＳＣＨ）のための構成の第１のセットを受信するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信するための手段と、ここにおいて、前記構成の第２のセットは、前記構成の第１のセットの中からのサブセットである、
前記ＥＰＤＣＣＨを受信するための手段と、
前記構成の第２のセットからの少なくとも１つの構成に基づいて前記ＥＰＤＣＣＨを処理するための手段と
を備える、装置。
［Ｃ２９］
ワイヤレス通信のための装置であって、
制御チャネルのために構成された少なくとも第１のリソースセットおよび第２のリソースセットを決定するための手段と、
前記第１のリソースセットおよび第２のリソースセットについてのアグリゲーションレベルの共通のセットを決定するための手段と、
前記第１のリソースセットについての第１のレートマッチングパラメータ、および前記第２のリソースセットについての第２のレートマッチングパラメータを決定するための手段と、
少なくとも前記アグリゲーションレベルの共通のセットならびに前記第１のレートマッチングパラメータおよび第２のレートマッチングパラメータを使用して、前記制御チャネルを処理するための手段と
を備える、装置。
［Ｃ３０］
ワイヤレス通信のための装置であって、
拡張物理ダウンリンク制御チャネル（ＥＰＤＣＣＨ）の開始シンボルがＥＰＤＣＣＨ構成に基づくサブフレームにおける初期シンボルであるかどうかを決定するための手段と、
前記ＥＰＤＣＣＨの前記開始シンボルが前記サブフレームにおける前記初期シンボルであるときに前記サブフレームにおけるレガシ制御チャネルのサブセットを復号することを控えるための手段と
を備える、装置。
［Ｃ３１］
ワイヤレス通信のための装置であって、
物理ダウンリンク共有チャネル（ＰＤＳＣＨ）のための構成の第１のセットを構成するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成するための手段と、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信するための手段と、
前記ＥＰＤＣＣＨを送信するための手段と
を備える、装置。
［Ｃ３２］
ワイヤレス通信のための装置であって、
制御チャネルのために少なくとも第１のリソースセットおよび第２のリソースセットを構成するための手段と、ここにおいて、前記第１および第２のリソースセットは、共通の基準信号構成を用いて構成される、
前記第１のリソースセットについての第１のレートマッチングパラメータ、および前記第２のリソースセットについての第２のレートマッチングパラメータを構成するための手段と、
前記第１のレートマッチングパラメータおよび前記第２のレートマッチングパラメータを送信するための手段と、
前記第１のリソースセットおよび前記第２のリソースセットを使用して前記制御チャネルを送信するための手段と
を備える、装置。
［Ｃ３３］
ワイヤレス通信のための装置であって、
メモリと、
前記メモリに結合された少なくとも１つのプロセッサと
を備え、前記少なくとも１つのプロセッサは、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットである、
前記ＥＰＤＣＣＨを受信することと、
前記構成の第２のセットからの少なくとも１つの構成に基づいて前記ＥＰＤＣＣＨを処理することと
を行うよう構成される、装置。
［Ｃ３４］
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、上記Ｃ３３に記載の装置。
［Ｃ３５］
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、上記Ｃ３４に記載の装置。
［Ｃ３６］
前記構成の第２のセットは、無線リソース制御（ＲＲＣ）構成に基づいて前記構成の第１のセットから選択される、上記Ｃ３３に記載の装置。
［Ｃ３７］
前記ＰＤＳＣＨは、多地点協調システムにおいて実装される、上記Ｃ３３に記載の装置。
［Ｃ３８］
ワイヤレス通信のための装置であって、
メモリと、
前記メモリに結合された少なくとも１つのプロセッサと
を備え、前記少なくとも１つのプロセッサは、
制御チャネルのために構成された少なくとも第１のリソースセットおよび第２のリソースセットを決定することと、
前記第１のリソースセットおよび第２のリソースセットについてのアグリゲーションレベルの共通のセットを決定することと、
前記第１のリソースセットについての第１のレートマッチングパラメータ、および前記第２のリソースセットについての第２のレートマッチングパラメータを決定することと、
少なくとも前記アグリゲーションレベルの共通のセットならびに前記第１のレートマッチングパラメータおよび第２のレートマッチングパラメータを使用して前記制御チャネルを処理することと
を行うよう構成される、装置。
［Ｃ３９］
前記第１のリソースセットおよび前記第２のリソースセットについての前記アグリゲーションレベルの共通のセットを前記決定することは、
前記第１のリソースセットにおける利用可能なリソースの第１の数、
前記第２のリソースセットにおける利用可能なリソースの第２の数、
またはそれら両方を決定することを含む、上記Ｃ３８に記載の装置。
［Ｃ４０］
前記アグリゲーションレベルの共通のセットを前記決定することは、
利用可能なリソースの前記第１の数をしきい値と、利用可能なリソースの前記第２の数を前記しきい値と、またはそれら両方を比較することと、
前記比較に基づいて前記アグリゲーションレベルの共通のセットを選択することと
をさらに含む、上記Ｃ３９に記載の装置。
［Ｃ４１］
前記第１のレートマッチングパラメータは、前記第１のリソースセットにおけるすべてのチャネル状態情報基準信号（ＣＳＩ−ＲＳ）のまわりでレートマッチングを行うよう、または前記第１のリソースセットにおける前記ＣＳＩ−ＲＳのサブセットのまわりでレートマッチングを行うよう構成され、
前記第２のレートマッチングパラメータは、前記第２のリソースセットにおけるすべてのＣＳＩ−ＲＳのまわりでレートマッチングを行うよう、または前記第２のリソースセットにおける前記ＣＳＩ−ＲＳのサブセットのまわりでレートマッチングを行うよう構成される、上記Ｃ３８に記載の装置。
［Ｃ４２］
前記第１のレートマッチングパラメータは、前記第１のリソースセットにおけるすべてのセル固有基準信号（ＣＲＳ）のまわりでレートマッチングを行うよう、または前記第１のリソースセットにおける前記ＣＲＳのサブセットのまわりでレートマッチングを行うよう構成され、
前記第２のレートマッチングパラメータは、前記第２のリソースセットにおけるすべてのＣＲＳのまわりでレートマッチングを行うよう、または前記第２のリソースセットにおける前記ＣＲＳのサブセットのまわりでレートマッチングを行うよう構成される、上記Ｃ３８に記載の装置。
［Ｃ４３］
前記第１のレートマッチングパラメータは、第１の無線リソース制御（ＲＲＣ）構成に基づいて決定され、前記第２のレートマッチングパラメータは、第２のＲＲＣ構成に基づいて決定される、上記Ｃ３８に記載の装置。
［Ｃ４４］
前記制御チャネルは、拡張物理ダウンリンク制御チャネル（ＥＰＤＣＣＨ）である、上記Ｃ３８に記載の装置。
［Ｃ４５］
ワイヤレス通信のための装置であって、
メモリと、
前記メモリに結合された少なくとも１つのプロセッサと
を備え、前記少なくとも１つのプロセッサは、
拡張物理ダウンリンク制御チャネル（ＥＰＤＣＣＨ）の開始シンボルがＥＰＤＣＣＨ構成に基づくサブフレームにおける初期シンボルであるかどうかを決定することと、
前記ＥＰＤＣＣＨの前記開始シンボルが前記サブフレームにおける前記初期シンボルであるときに前記サブフレームにおけるレガシ制御チャネルのサブセットを復号することを控えることと
を行うよう構成される、装置。
［Ｃ４６］
前記控えることは、前記サブフレームがダウンリンクブロードキャスト送信を含まないときに前記サブフレームにおけるレガシ制御チャネルのサブセットを復号することを控えることを備える、上記Ｃ４５に記載の装置。
［Ｃ４７］
前記ＥＰＤＣＣＨ構成は、第１のＥＰＤＣＣＨリソースセットおよび第２のＥＰＤＣＣＨリソースセットを識別し、前記控えることは、前記第１のＥＰＤＣＣＨリソースセットの開始シンボルおよび前記第２のＥＰＤＣＣＨリソースセットの開始シンボルの両方が前記サブフレーム内に前記初期シンボルを含むときに、前記サブフレームにおいてレガシ制御チャネルのサブセットを復号することを控えることを含む、上記Ｃ４５に記載の装置。
［Ｃ４８］
前記レガシ制御チャネルは、
物理制御フォーマットインジケータチャネル（ＰＣＦＩＣＨ）、
物理ハイブリッドＡＲＱインジケータチャネル（ＰＨＩＣＨ）、
またはそれらの組み合わせのうちの少なくとも１つを含む、上記Ｃ４５に記載の装置。
［Ｃ４９］
ワイヤレス通信のための装置であって、
メモリと、
前記メモリに結合された少なくとも１つのプロセッサと
を備え、前記少なくとも１つのプロセッサは、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信することと、
前記ＥＰＤＣＣＨを送信することと
を行うよう構成される、装置。
［Ｃ５０］
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、上記Ｃ４９に記載の装置。
［Ｃ５１］
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、上記Ｃ５０に記載の装置。
［Ｃ５２］
前記構成の第２のセットは、無線リソース制御（ＲＲＣ）構成に基づいて前記構成の第１から選択される、上記Ｃ４９に記載の装置。
［Ｃ５３］
前記ＰＤＳＣＨは、多地点協調システムにおいて実装される、上記Ｃ４９に記載の装置。
［Ｃ５４］
ワイヤレス通信のための装置であって、
メモリと、
前記メモリに結合された少なくとも１つのプロセッサと
を備え、前記少なくとも１つのプロセッサは、
制御チャネルのために少なくとも第１のリソースセットおよび第２のリソースセットを構成することと、ここにおいて、前記第１および第２のリソースセットは、共通の基準信号構成を用いて構成される、
前記第１のリソースセットについての第１のレートマッチングパラメータ、および前記第２のリソースセットについての第２のレートマッチングパラメータを構成することと、
前記第１のレートマッチングパラメータおよび前記第２のレートマッチングパラメータを送信することと、
前記第１のリソースセットおよび前記第２のリソースセットを使用して前記制御チャネルを送信することと
を行うよう構成される、装置。
［Ｃ５５］
前記共通の基準信号構成は、少なくとも、共通のチャネル状態情報基準信号（ＣＳＩ−ＲＳ）構成または共通の基準信号（ＣＲＳ）構成を備える、上記Ｃ５４に記載の装置。
［Ｃ５６］
前記第１のレートマッチングパラメータは、制御チャネルリソース要素（ＲＥ）が前記第１のリソースセットにおけるすべてのチャネル状態情報基準信号（ＣＳＩ−ＲＳ）のまわりでレートマッチングされることを示し、または前記制御チャネルＲＥが前記第１のリソースセットにおける前記ＣＳＩ−ＲＳのサブセットのまわりでレートマッチングされることを示し、
前記第２のレートマッチングパラメータは、前記制御チャネルＲＥが前記第２のリソースセットにおけるすべてのＣＳＩ−ＲＳのまわりでレートマッチングされることを示し、または前記制御チャネルＲＥが前記第２のリソースセットにおける前記ＣＳＩ−ＲＳのサブセットのまわりでレートマッチングされることを示す、上記Ｃ５４に記載の装置。
［Ｃ５７］
前記第１のレートマッチングパラメータは、前記制御チャネルＲＥが前記第１のリソースセットにおけるすべてのセル固有基準信号（ＣＲＳ）のまわりでレートマッチングされることを示し、または前記制御チャネルＲＥが前記第１のリソースセットにおける前記ＣＲＳのサブセットのまわりでレートマッチングされることを示し、
前記第２のレートマッチングパラメータは、前記制御チャネルＲＥが前記第２のリソースセットにおけるすべてのＣＲＳのまわりでレートマッチングされることを示し、または前記制御チャネルＲＥが前記第２のリソースセットにおける前記ＣＲＳのサブセットのまわりでレートマッチングされることを示す、上記Ｃ５４に記載の装置。
［Ｃ５８］
前記第１のレートマッチングパラメータは、第１の無線リソース制御（ＲＲＣ）構成を介して構成され、前記第２のレートマッチングパラメータは、第２のＲＲＣ構成を介して構成される、上記Ｃ５４に記載の装置。
［Ｃ５９］
前記制御チャネルは、拡張物理ダウンリンク制御チャネル（ＥＰＤＣＣＨ）である、上記Ｃ５４に記載の装置。
［Ｃ６０］
コンピュータ可読媒体に記憶されたコンピュータプログラム製品であって、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットである、
前記ＥＰＤＣＣＨを受信することと、
前記構成の第２のセットからの少なくとも１つの構成に基づいて前記ＥＰＤＣＣＨを処理することと
を行うためのコードを備える、コンピュータプログラム製品。
［Ｃ６１］
コンピュータ可読媒体に記憶されたコンピュータプログラム製品であって、
制御チャネルのために構成された少なくとも第１のリソースセットおよび第２のリソースセットを決定することと、
前記第１のリソースセットおよび第２のリソースセットについてのアグリゲーションレベルの共通のセットを決定することと、
前記第１のリソースセットについての第１のレートマッチングパラメータ、および前記第２のリソースセットについての第２のレートマッチングパラメータを決定することと、
少なくとも前記アグリゲーションレベルの共通のセットならびに前記第１のレートマッチングパラメータおよび第２のレートマッチングパラメータを使用して前記制御チャネルを処理することと
を行うためのコードを備える、コンピュータプログラム製品。
［Ｃ６２］
コンピュータ可読媒体に記憶されたコンピュータプログラム製品であって、
拡張物理ダウンリンク制御チャネル（ＥＰＤＣＣＨ）の開始シンボルがサブフレームにおける初期シンボルであるかどうかを決定することと、
前記ＥＰＤＣＣＨの前記開始シンボルが前記サブフレームにおける前記初期シンボルであるときに前記サブフレームにおけるレガシ制御チャネルのサブセットを復号することを控えることと
を行うためのコードを備える、コンピュータプログラム製品。
［Ｃ６３］
コンピュータ可読媒体に記憶されたコンピュータプログラム製品であって、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットである、
前記ＰＤＳＣＨのための前記構成の第１のセットおよび前記ＥＰＤＣＣＨのための前記構成の第２のセットを送信することと、
前記ＥＰＤＣＣＨを送信することと
を行うためのコードを備える、コンピュータプログラム製品。
［Ｃ６４］
コンピュータ可読媒体に記憶されたコンピュータプログラム製品であって、
制御チャネルのために少なくとも第１のリソースセットおよび第２のリソースセットを構成することと、ここにおいて、前記第１および第２のリソースセットは、共通の基準信号構成を用いて構成される、
前記第１のリソースセットについての第１のレートマッチングパラメータ、および前記第２のリソースセットについての第２のレートマッチングパラメータを構成することと、
前記第１のレートマッチングパラメータおよび前記第２のレートマッチングパラメータを送信することと、
前記第１のリソースセットおよび前記第２のリソースセットを使用して前記制御チャネルを送信することと
を行うためのコードを備える、コンピュータプログラム製品。